(57)【要約】      （修正有） 【課題】フロアマットの車外への移動作業を正確且つ簡単に行え、しかも移動時にフロアマットに滞留する塵埃・汚れ水による床内張りの汚しを防止でき、清掃簡易で衛生的な自動車用フロアマットの水漏れ防止具を提供する。【解決手段】フロアマット４と、フロアマット面内に開設され位置ずれ防止軸が嵌入する貫通穴３と、この貫通穴に取付られるハトメ２とから成るものにおいて、上記ハトメ２を蓋する円板部の裏面にバネ脚を設け、このバネ脚の先端にハトメ２の裏面に係脱する係止爪を備える水落ち防止部１を配備した。【選択図】図１
0003202832.tif 000002
【実用新案登録請求の範囲】
【請求項１】
フロアマットと、フロアマット面内に開設され位置ずれ防止軸が嵌入する貫通穴と、この貫通穴に取り付けられるハトメとから成るものにおいて、上記ハトメを蓋する円板部の裏面にバネ脚を設け、このバネ脚の先端にハトメの裏面に係脱する係止爪を備える水落ち防止部を配備したことを特徴とする自動車用フロアマットの水漏れ防止具。
【請求項２】
前記バネ脚は、所定間隔を開いて対向する２本の半円柱体で、外側からの押圧力の加除で内方向へ傾動・復帰すると共に、外周の曲面がハトメの円筒部の曲面に内接することを特徴とする請求項１記載の自動車用フロアマットの水漏れ防止具。
【請求項３】
前記ハトメは、円筒部の上周縁に外方向へ張り出す鍔板状リング部を備える上側環状部と、上記円筒部に外嵌する円筒部の下周縁に外方向ヘ張り出す鍔板状リング部を備える下側環状部とから構成されること特徴とする請求項１記載の自動車用フロアマットの水漏れ防止具。
【考案の詳細な説明】
【技術分野】
【０００１】
この考案は、自動車用フロアマットの水漏れ防止具に関する。
【背景技術】
【０００２】
図４は、従来の自動車用フロアマットを示す斜視図である。
この自動車用フロアマット４は、自動車の床張り（布製内張り）６１の上面に配置され、靴に付着するどろ水や塵、埃等の汚れから床張りを保護するために使用される。
【０００３】
このフロアマット４は、例えば略矩形のゴム製シートの表裏面に起毛処理した表面布４１ａを貼着配備して形成されている。フロアマット４は、載せた足（靴底）の前後左右方向への摩擦力を受けて滑りが生じる。この位置ずれが危険なため、フロアマット４の後部（座席側）中央に、貫通穴６２が設けられている。一方、床内張り６１側には、固定された基板６４から上方へ起立する位置ずれ防止軸６３が配備してある。
【０００４】
使用に際しては、フロアマット４の貫通穴６２に対し床内張り６１から立ち上がる位置ずれ防止軸６３を嵌入させた状態で配置する。これにより、床内張り６１に対しフロアマット４の前後動、左右動が抑制され、位置ずれによる危険が解消される。
【特許文献１】特開２００１−６３４３５号公報
【考案の開示】
【考案が解決しようとする課題】
【０００５】
上記フロアマットの面内には、靴や傘に付着した雨水、雪水、ゴミや埃等々が溜まる。これを放置すると社内が湿気る許かりでなく、かび臭さが発生し、不衛生となる。したがって、フロアマットは頻繁に清掃する必要がある。
【０００６】
上記、フロアマットを床内張りから外し（貫通穴から位置ずれ防止軸を外し）、フロアマットを車外に持ち出すとき、フロアマットに滞留する汚れた水やゴミ、埃が貫通穴から床内張りに水落ちして床内張りを汚す許かりでなく、汚れた内張りの清掃、乾燥が手間である等の不利があった。
【０００７】
この考案は、以上のような課題を解消させ、フロアマットの車外への移動作業を正確且つ簡単に行え、しかも移動時にフロアマットに滞留する塵埃・汚れ水による床内張りの汚しを防止でき、清掃簡易で衛生的な自動車用フロアマットの水漏れ防止具を提供することを目的とする。
【課題を解決するための手段】
【０００８】
この目的を達成させるために、この考案の自動車用フロアマットの水もれ防止具では、次のような構成としている。
自動車用フロアマットの水漏れ防止具は、フロアマットとフロアマット面内に開設され位置ずれ防止軸が嵌入する貫通穴と、この貫通穴に取付られるハトメとから成るものにおいて、上記ハトメを蓋する円板部の裏面にバネ脚を設け、このバネ脚の先端にハトメの裏面に係脱する係止爪を備える水落ち防止部を配備したことを特徴とする。
【考案の効果】
【０００９】
このような構成を有する自動車用フロアマットの水漏れ防止具では、水落ち防止部をハトメに対し嵌脱することで、貫通穴を開閉し得ることとしたから、フロアマットに滞留する塵、埃、汚れ水を清掃除去する際に、自動車の床内張りを汚すことなく簡単便宜に行え、且つ社内を衛生的に保つことができる。
【００１０】
車外へフロアマットを移動させる際、仮にフロアマットが貫通穴方向へ傾斜してもフロアマット内の汚れ水が床内張り上へ落下するのを防止でき、安全確実に清掃作業を行える。
【００１１】
更に、水落ち防止部をハトメに対し、単に押し込むだけで貫通穴を緊密に嵌着し得るから、例えばハトメを含む近辺に水が滞留している場合であっても、簡易迅速に貫通穴を閉塞し得る等、考案目的を達成した優れた効果を有する。
【考案を実施するための最良の形態】
【００１２】
以下、図面に基づき本考案に係る自動車用フロアマットの水漏れ防止具の具体的な実施の形態を説明する。
図１は、自動車用フロアマットの水漏れ防止具を示す斜視図である。
フロアマット４は、例えば略矩形で平板状の足載せ部４１の前部を除く周縁、つまり左右側辺及び後辺に所定高さの周壁部４２を立設している。周壁部４２は、前側から後側へかけて緩やかに高さが高くなるように設定してある。また、比較的厚みの薄い足載せ部４１の表裏面には、起毛処理を施した表層部４１ａが設けてある。
【００１３】
足載せ部４１の後端中央には、面内に貫通穴（位置ずれ防止穴）３が開設され、この貫通穴３の周囲にハトメ（鳩目つまり環状具）２が固定配備してある。そして、後述する水落ち防止部１が、このハトメ２に対し装脱するように構成されている。
【００１４】
図２は、ハトメ２と水落ち防止部１とを示す分離斜視図である。
ハトメ２は、上側環状部２Ａと下側環状部２Ｂとから成る。上側環状部２Ａは、円筒部２２の上周縁に外方向へ張り出す鍔板状リング部２１を設けている。更に、下側環状部２Ｂは、上記円筒部２２に外嵌する円筒部２４の下周縁に外方向へ張り出す鍔板状リング部２３から成る。
【００１５】
上記円筒部２２、２４の筒長さは、同一に設定し、上・下側環状部２Ａ・２Ｂを嵌着した際、円筒部２２、２４の先端が対向する鍔状リング部２１、２３にそれぞれ衝き当たるよう設定してある。更に、円筒部２２の外面、円筒部２４の内面、つまり各嵌合接面には、僅かに外方向へ出っ張る突条２２ａ、２４ａを複数段配備し、嵌着度合いの強化を図っている（図３参照）。
【００１６】
前記水落ち防止部１は、図２で示すように、合成樹脂材などで成型され、円板部１１と、円板部１１の裏面から下方へ垂直に突出し所定間隔開いて対向する２本のバネ脚１２、１２ａと、このバネ脚１２、１２ａの先端に配備された係止爪１３、１３ａとから成る。
【００１７】
上記円板部１１は、鍔板状リング部２１と同径の円板に形成され、且つバネ脚１２、１２ａは、半円柱形状で、外側からの押圧力の加除で内方向へ傾動・復帰する。また、このバネ脚１２、１２ａは、外周の曲面が円筒部２２の曲面に内接する。更に、係止爪１３、１３ａは、半円形の平板で、鍔板状リング部２３の底内周面に接面し係脱する。
【００１８】
このような構成を有する自動車用フロアマットの水漏れ防止具では、図３で示すように、マット４の清掃の際は、フロアマット４の後部を僅かに持ち上げ、位置ずれ防止軸６３と貫通穴（ハトメ２）３の嵌合を外す。このとき、フロアマット４の後部に滞留していた汚れた水は、フロアマット４の前側へ僅かに移動する。ここで、水落ち防止部１をハトメ２に嵌め挿す。
【００１９】
図３で示すように、係止爪１３（１３ａ）が円筒部２２の内面に押されて内方向へ変移した状態で摺動降下し、円筒部２２の下端を支持する鍔板状リング２３を通過したとき、バネ脚１２（１２ａ）が現状へ復帰し係止爪１３（１３ａ）が鍔板状リング部２３の裏面に重合係止すると同時に、バネ脚１２（１２ａ）の外周面が円筒部２１の内周曲面に内接する。
【００２０】
かくして、水落ち防止部１の円板部１１がハトメ（鍔板状リング部２１）に緊密に重合して貫通穴３を閉じる。したがって、フロアマット４を車外へ移動させる際に、フロアマット４が傾き、滞留する汚れた水が床内張り６１上に落下して汚す等の不利が解消できる。
【００２１】
また、清掃後は、係止爪１３（１３ａ）を内方向へ移動させるだけの簡単な操作デバネ脚１２（１２ａ）が内向きに傾くことで、水落ち防止具１をハトメ２から外すことができる。
【００２２】
尚、フロアマット４の裏面の表装布帛４１ａの起毛処理を、床内張り６１の起毛（例えばループ状繊維群）に対し、係脱する鉤状繊維群に設定した場合（図示せず）は、両繊維群により位置固定され、位置ずれ防止軸６３を省略できる。
【００２３】
更に、位置ずれ防止軸６３の突出長さをハトメ２の筒長さ（水落ち防止部のバネ脚１２長さ）に対応させた場合、或いは位置ずれ防止軸６３の径を対向バネ脚１２・１２ａ間に嵌入するように設定した場合は、位置ずれ防止軸６３をハトメに嵌着したまま、水落ち防止部１をハトメに嵌着使用できる。
【図面の簡単な説明】
【００２４】
【図１】実施の形態の自動車用フロアマットの水漏れ防止具を示す斜視図である。
【図２】ハトメと水落ち防止部を示す分離斜視図である。
【図３】ハトメと水落ち防止部を嵌着し貫通穴を閉じた状態を示す断面図である。
【図４】従来の自動車用フロアマットを示す斜視図である。
【符号の説明】
【００２５】
１      水落ち防止部
２      ハトメ（環状具）
３      貫通穴（位置ずれ防止穴）
４      フロアマット
１１    円板部
１２    バネ脚
１３    係止爪
２Ａ    上側環状部
２１    鍔板状リング部
２２    円筒部
２２ａ  突条
２３    鍔板状リング部
２４    円筒部  
２４ａ  突条
４１    足載せ部
４１ａ  表装部
６１    床内張り（布製内張り）
６３    位置ずれ防止軸
【図１】
0003202832.tif 000003
【図２】
0003202832.tif 000004
【図３】
0003202832.tif 000005
【図４】
0003202832.tif 000006